(57)【要約】【課題】  受信した標準電波により内蔵する時計の時刻を補正する電波時計機能を備えた屋内に常設される通信端末装置において、標準電波を受信するアンテナの受信感度を向上させることができる通信端末装置を提供すること。【解決手段】  本発明の通信端末装置１は、自装置の筐体１４の外面に設置された発光素子１０を発光させてイベントの発生を光で報知する報知手段６と、アンテナ２０により受信した標準電波に基づいて内蔵する時計５の時刻を補正する補正手段２、７と、を備える通信端末装置であって、発光素子１０を筐体１４の外面に固定するための支持部材１５にアンテナ２０を内蔵させた。【選択図】      図３
2006234454.tif 000002
【特許請求の範囲】
【請求項１】
自装置の筐体の外面に設置された発光素子を発光させてイベントの発生を光で報知する報知手段と、アンテナにより受信した標準電波に基づいて内蔵する時計の時刻を補正する補正手段と、を備える通信端末装置であって、
前記発光素子を前記筐体の外面に固定するための支持部材に前記アンテナを内蔵させたことを特徴とする通信端末装置。
【請求項２】
自装置から離れた視認性を有する場所に設置された発光素子を発光させてイベントの発生を光で報知する報知手段と、アンテナにより受信した標準電波に基づいて内蔵する時計の時刻を補正する補正手段と、を備える通信端末装置であって、
前記発光素子を前記視認性を有する場所に固定するための支持部材に前記アンテナを内蔵させたことを特徴とする通信端末装置。
【請求項３】
前記支持部材に前記アンテナ及び該アンテナにより受信した標準電波の信号を増幅させるための増幅回路を内蔵させたことを特徴とする請求項２記載の通信端末装置。
【発明の詳細な説明】
【技術分野】
【０００１】
本発明は、通信端末装置に関し、詳しくは、受信した標準電波により内蔵する時計の時刻を補正する電波時計機能を備えた通信端末装置に関する。
【背景技術】
【０００２】
ファクシミリ装置等の通信端末装置の中には、電波時計機能を備えたものがある（例えば、特許文献１参照。）。電波時計機能とは、独立行政法人情報通信研究機構（ＮＩＣＴ）が管轄する送信所から送信される標準電波に基づいて、自装置が内蔵する時計を標準時刻に補正する機能である。特許文献１のような従来の通信端末装置は、自装置の筐体の内部に設けられたアンテナにより標準電波を受信し、受信した標準電波から標準時刻の情報を抽出し、抽出した標準時刻の情報に基づいて自装置が内蔵する時計の時刻を標準時刻に補正している。そのため、例えば、メモリ送信機能により、予め自装置のメモリに蓄積した原稿の画像データを設定時刻に外部装置へファクシミリ送信する場合に、ユーザが意図する時刻に原稿の画像データをファクシミリ送信することができる。
【特許文献１】特開２００４−１９１２８７号公報
【発明の開示】
【発明が解決しようとする課題】
【０００３】
しかしながら、電波時計機能を備えたファクシミリ装置等の通信端末装置は、屋内に設置されて使用されるため、屋外でも使用可能な可搬型の通信端末装置等に比べて、標準電波の受信感度が悪い。そのうえ、筐体内部から外部へのノイズの漏出を防止するためにシールドが施されており、アンテナを筐体内部に設置すると標準電波の受信感度が更に低下するという問題点があった。
【０００４】
本発明は、以上のような問題点に鑑みてなされたものであり、受信した標準電波により内蔵する時計の時刻を補正する電波時計機能を備えた屋内に常設される通信端末装置において、標準電波を受信するアンテナの受信感度を向上させることができる通信端末装置を提供することを目的とする。
【課題を解決するための手段】
【０００５】
上記目的を達成するための請求項１記載の通信端末装置は、自装置の筐体の外面に設置された発光素子を発光させてイベントの発生を光で報知する報知手段と、アンテナにより受信した標準電波に基づいて内蔵する時計の時刻を補正する補正手段と、を備える通信端末装置であって、前記発光素子を前記筐体の外面に固定するための支持部材に前記アンテナを内蔵させたことを特徴としている。
【０００６】
請求項２記載の通信端末装置は、自装置から離れた視認性を有する場所に設置された発光素子を発光させてイベントの発生を光で報知する報知手段と、アンテナにより受信した標準電波に基づいて内蔵する時計の時刻を補正する補正手段と、を備える通信端末装置であって、前記発光素子を前記視認性を有する場所に固定するための支持部材に前記アンテナを内蔵させたことを特徴としている。
【０００７】
請求項３記載の通信端末装置は、請求項２記載の通信端末装置において、前記支持部材に前記アンテナ及び該アンテナにより受信した標準電波の信号を増幅させるための増幅回路を内蔵させたことを特徴としている。
【発明の効果】
【０００８】
請求項１記載の通信端末装置によれば、視認性があり且つ筐体内部に比べて標準電波の受信感度が良い場所に標準電波を受信するアンテナが設置されているので、アンテナを筐体内部に設置する場合に比べて、標準電波を感度良く受信することができる。また、アンテナは、発光素子を筐体の外面に固定するための支持部材に内蔵されているので、単にアンテナを筐体外部に設置する場合のように、見栄えが悪くなることがないという利点がある。
【０００９】
請求項２記載の通信端末装置によれば、視認性があり且つ筐体内部に比べて標準電波の受信感度が良い場所に標準電波を受信するアンテナが設置されているので、アンテナを筐体内部に設置する場合に比べて、標準電波を感度良く受信することができる。また、自装置から離れた視認性を有する室内の窓付近に発光素子を設置した場合、屋外に近い窓付近は標準電波の受信感度が良いので、支持部材に内蔵されたアンテナの受信感度が更に向上するという利点がある。
【００１０】
請求項３記載の通信端末装置によれば、アンテナが受信した標準電波の信号強度が弱くなることを防止することができる。
【発明を実施するための最良の形態】
【００１１】
以下、本発明の実施形態に係る通信端末装置を図面に基づいて説明する。通信端末装置１は、図１に例示するように、制御部（ＭＰＵ：Microprocessing Unit）２、ＲＯＭ（Read Only Memory）３、ＲＡＭ（Random Access Memory）４、時計部５、報知部６、及び標準電波受信部７を備えたものであって、各部２乃至６はバス８によって通信可能に接続されている。また、標準電波受信部７は、４本の信号線Ｌ１乃至Ｌ４によって制御部２に接続されている。
【００１２】
なお、通信端末装置１は、図２に示す原稿の画像データを読取る原稿読取部９の他に、図示しないが、画像データを符号化（エンコード）・復号（デコード）するコーデック、画像データを蓄積する画像メモリ、画像データの画像を用紙に記録する記録部、外部装置とのファクシミリ通信を行う通信部等を備え、原稿の画像データを読取ってその画像を用紙に記録するコピー機能、外部装置との間で原稿の画像データをファクシミリ送受信するファクシミリ通信機能を備える。
【００１３】
制御部２は、ＲＯＭ３に格納された制御プログラムに従って、この通信端末装置１を構成する各部を制御する。ＲＡＭ４は、制御部２の主メモリ、ワークエリア等として機能し、各種の設定情報等を記憶している。時計部５は、現在の日時の情報を保持するものであり、制御部２に現在の日付及び時刻を出力する処理を行う。具体的には、一定のクロック信号に従って動作する時計回路（不図示）を備えており、現在の日付及び時刻を常に更新しつつ保持する。そして、保持している現在の日付及び時刻の情報を制御部２に出力する。
【００１４】
報知部６は、ランプ（発光素子）１０、トランジスタ１１、及びランプ制御回路１２を備える。ランプ１０は、通信端末装置１の電源（２４Ｖ）１３から供給された電源により発光するものである。図２は、通信端末装置１を構成する原稿読取部９の外観を示した概略斜視図である。図示するように、ランプ１０は、原稿読取部９を覆う筐体１４の外面に支持部材１５を介して設置されている。支持部材１５は、支持棒１６、支持台１７、及びケーブル１８を備え、ランプ１０を筐体１４の外面に固定するためのものである。支持棒１６は、ランプ１０を支持し、支持台１７に立設されている。支持台１７は、支持棒１６を支持しており、支持台１７が筐体１４の外面にボルト等で取り付けられることにより、支持部材１５は筐体１４の外面に固定される。ケーブル１８は、筐体１４の内部に設けられた電源１３とランプ１０を接続する電源線Ｍ１（図１参照）、及び筐体１４の内部に設けられたトランジスタ１１とランプ１０を接続する制御線Ｍ２（図１参照）を内蔵しており、電源線Ｍ１及び制御線Ｍ２は、ケーブル１８、支持台１７、及び支持棒１６の内部を貫通してランプ１０に接続されている。このような支持部材１５を介して筐体１４の外面に設置されたランプ１０は、通信端末装置１の上方に突出しているので、ユーザはランプ１０の点灯を視認することができる。なお、本実施形態においては、ランプ１０を筐体１４の右側面に設置しているが、ランプ１０を筐体１４の左側面、又は背面に設置するようにしてもよい。また、本実施形態においては、発光素子としてランプ１０を用いるが、例えば、発光ダイオード（ＬＥＤ：Light Emitting Diode）を用いてもよい。
【００１５】
トランジスタ１１は、図１に示すように、ベース（Ｂ）端子、エミッタ（Ｅ）端子、コレクタ（Ｃ）端子を有するＮＰＮ型のトランジスタであり、エミッタ端子は、ＧＮＤ１９に接続されている。コレクタ端子は、制御線Ｍ２を介してランプ１０の電源１３が接続されていない方の端子と接続されており、ベース端子は、ランプ制御回路１２と接続されている。このトランジスタ１１は、ベース電圧が所定値より大きくなると動作し、トランジスタ１１が動作すると、電源１３から電源がランプ１０に供給されてランプ１０が発光する。ランプ制御回路１２は、トランジスタ１１のベース電圧を変更して、ランプ１０の発光を制御するものである。例えば、制御部２が外部装置からのファクシミリ受信があったと判断した場合に、トランジスタ１１のベース電圧が所定値より大きくなるようにベース電圧を変更してトランジスタ１１を動作させ、ランプ１０を発光させる。このように、報知部６は、ランプ１０を発光させて、外部装置からのファクシミリ受信等のイベントの発生を光で報知する。
【００１６】
標準電波受信部７は、アンテナ２０及び標準時刻抽出回路２１を備える。アンテナ２０は、独立行政法人情報通信研究機構が管轄する送信所から送信される標準電波を受信するものである。図３は、図２に示した支持部材１５の内部を部分的に示した図である。図示するように、アンテナ２０は、支持部材１５を構成する支持棒１６に内蔵されている。このアンテナ２０は、フェライト等の磁性材料２２にコイル２３が巻回されて構成されており、コイル２０の両端は、電源線Ｍ１及び制御線Ｍ２と共にケーブル１８に内蔵されたアンテナ接続線Ｎ１、Ｎ２（図１参照）により、標準時刻抽出回路２１に接続される。なお、ケーブル１８の一端にはコネクタ２４が設けられている。このコネクタ２４を筐体１４に設けられたコネクタ受け部（不図示）に差し込むことにより、支持部材１５からの電源線Ｍ１、制御線Ｍ２、及びアンテナ接続線Ｎ１、Ｎ２と筐体１４内部からの電源線Ｍ１、制御線Ｍ２及びアンテナ接続線Ｎ１、Ｎ２が接続される。なお、支持棒１６は、合成樹脂等の標準電波を遮断しない材料で形成されている。
【００１７】
標準時刻抽出回路２１は、図１に示すように、アンテナ２０が受信した標準電波から標準時刻の情報を抽出（検波）し、抽出した標準時刻の情報を制御部２に出力する。すなわち、標準電波に含まれる年、月、日、時、分、秒の情報を抽出して制御部２に出力する。制御部２は、標準時刻抽出回路２１から出力された標準時刻の情報に基づいて、時計部５の時刻を標準時刻に補正する。このように、制御部２及び標準電波受信部７は、アンテナ２０により受信した標準電波に基づいて内蔵する時計部５の時刻を補正する。
【００１８】
なお、上述したように、標準時刻抽出回路２１は、制御部２と４本の信号線Ｌ１乃至Ｌ４で接続されている。信号線Ｌ１は、標準時刻抽出回路２１のチップイネーブル端子（ＣＥ）と制御部２とを接続しており、標準時刻抽出回路２１と制御部２のインターフェースを行う際に使用される。信号線Ｌ２は、標準時刻抽出回路２１のシリアルクロック入力端子（ＳＣＫ）と制御部２とを接続しており、この信号線Ｌ２を介して、制御部２からクロック信号が出力される。信号線Ｌ３は、標準時刻抽出回路２１のシリアル入力端子(ＳＩＮ)と制御部２とを接続しており、この信号線Ｌ３を介して、制御部２から標準時刻抽出回路２１にデータが出力される。信号線Ｌ４は、標準時刻抽出回路２１のシリアル出力端子（ＳＯＵＴ）と制御部２とを接続しており、この信号線Ｌ４を介して、標準時刻抽出回路２１から制御部２へ標準時刻の情報等のデータが出力される。なお、標準時刻抽出回路２１は、前記クロック信号に同期して、制御部２から出力されるデータの入力、又は制御部２へのデータの出力を行う。
【００１９】
以上説明したように、通信端末装置１は、視認性があり且つ筐体１４の内部に比べて標準電波の受信感度が良い場所に標準電波を受信するアンテナ２０が設置されているので、アンテナ２０を筐体１４の内部に設置する場合に比べて、標準電波を感度良く受信することができる。また、アンテナ２０は、ランプ１０を筐体１４の外面に固定するための支持部材１５に内蔵されているので、単にアンテナ２０を筐体１４の外部に設置する場合のように、見栄えが悪くなることがないという利点がある。
【００２０】
ここまでは、ランプ１０を筐体１４の外面に固定する場合について説明したが、電源線Ｍ１等を内蔵するケーブル１８を延長して、通信端末装置１から離れた視認性を有する場所にランプ１０を設置することも可能である。この場合、ランプ１０を視認性を有する室内の窓付近に設置すれば、屋外に近い窓付近は標準電波の受信感度が良いので、支持部材１５に内蔵されたアンテナ２０の受信感度が更に向上するという利点がある。また、ランプ１０を通信端末装置１から離れた視認性を有する場所に設置する場合、支持部材１５にアンテナ２０と共に、アンテナ２０により受信した標準電波を増幅させるための増幅回路（不図示）を内蔵させると、アンテナ２０が受信した標準電波の信号がケーブル１８に内蔵されたアンテナ接続線Ｎ１、Ｎ２を介して標準時刻抽出回路２１に伝送されるまでに、標準電波の信号強度が弱くなることを防止することができる。
【００２１】
なお、本実施形態においては、図３に示したように、アンテナ２０の長手方向と支持棒１６の長手方向が同一方向となるように、アンテナ２０を支持部材１５の支持棒１６に内蔵させているが、図４に示すように、アンテナ２０の長手方向と支持棒１６の長手方向が垂直となるように、アンテナ２０を支持部材１５に内蔵させてもよい。また、本実施形態においては、標準時刻抽出回路２１を筐体１４の内部に設けているが、アンテナ２０と共に標準時刻抽出回路２１を支持部材１５に内蔵させるようにしてもよい。
【産業上の利用可能性】
【００２２】
本発明は、例えば、受信した標準電波により内蔵する時計の時刻を補正する電波時計機能を備えた通信端末装置に適用することができる。
【図面の簡単な説明】
【００２３】
【図１】本発明の実施形態に係る通信端末装置の構成例を示したブロック図である。
【図２】原稿読取部の外観を示す概略斜視図である。
【図３】支持部材の内部を部分的に示した図である。
【図４】アンテナの長手方向と支持棒の長手方向とが垂直となるようにアンテナを支持部材に内蔵した例を示した図である。
【符号の説明】
【００２４】
１    通信端末装置
２    制御部
３    ＲＯＭ
４    ＲＡＭ
６    報知部
７    標準電波受信部
１０    ランプ（発光素子）
１４    筐体
１５    支持部材
２０    アンテナ
２１    標準時刻抽出回路
【図１】
2006234454.tif 000003
【図２】
2006234454.tif 000004
【図３】
2006234454.tif 000005
【図４】
2006234454.tif 000006